(57)【要約】【課題】処理対象画像中で保存したい特定色について確実に保存して減色化の処理を行うことができる画像処理装置及び画像処理プログラムを提供する。【解決手段】特定色情報設定部２で、特定色とその色範囲及び指定色を設定しておく。処理対象画像が与えられると、代表色作成部１は、処理対象画像の各画素の色から代表色を抽出する。特定色置換処理部３は、処理対象画像中の特定色情報設定部２で設定された色範囲内の色の画素について、設定されている指定色に置換する。そして、置換した画素には置換済情報を付加しておく。色置換部４は特定色置換処理部３による処理後の処理対象画像に対して、代表色作成部１が抽出した代表色への置換処理を行う。この際に、置換済情報が付加されている画素については代表色への置換を行わない。【選択図】図１
2011044919.tif 000002
【特許請求の範囲】
【請求項１】
処理対象画像中の予め指定されている色範囲の特定色を対応する指定色に置換する特定色置換処理手段と、前記処理対象画像中の前記特定色置換処理手段で置換対象となった画像領域以外の画像領域について前記処理対象画像から抽出した代表色に置換する色置換手段を有することを特徴とする画像処理装置。
【請求項２】
さらに、前記特定色と該特定色を中心とする色範囲と前記指定色を設定する特定色情報設定手段を有することを特徴とする請求項１に記載の画像処理装置。
【請求項３】
前記特定色情報設定手段は、前記特定色とすべき色で描かれた原稿を画像読取手段で読み取って得られた画像から前記特定色を設定するとともに、設定した前記特定色を中心とした色範囲の指定を受け取ることを特徴とする請求項２に記載の画像処理装置。
【請求項４】
コンピュータに、請求項１から請求項３のいずれか１項に記載の画像処理装置の機能を実行させるものであることを特徴とする画像処理プログラム。
【発明の詳細な説明】
【技術分野】
【０００１】
本発明は、画像処理装置及び画像処理プログラムに関するものである。
【背景技術】
【０００２】
従来より、画像中に使用されている色数を低減する減色化の処理が行われている。減色化の処理では、例えば処理対象画像からいくつかの代表色を抽出し、処理対象画像中の色を抽出した代表色のいずれかに置換する。この処理により、使用されている色を代表色の色数に限定した画像が得られる。この減色化の処理によって、画像中に含まれる各種のノイズやムラ、例えば画像が画像読取装置で原稿画像を読み取ったものである場合には、原稿の印刷ムラや読み取りの際のスキャンノイズ、手書き部分がある場合には手書きムラなどが低減される。また画像を圧縮する場合には、色分解を行うことにより圧縮率が向上する。
【０００３】
一般に、ロゴなどの特定の色については、減色化の処理を行った場合でも保存されることが要求される。しかし、特定の色が代表色として抽出されない場合には、保存すべき特定の色が保存されないことになる。例えば特許文献１では、指定された重要色を代表色に加え、減色化の処理を行っている。
【０００４】
処理対象画像が例えば画像読取装置で読み取った画像である場合などでは、装置の特性や読取誤差などによって、特定の色が使用された部分でも色がずれている場合がある。このほかにも種々の要因により処理対象画像中に色のムラや変動が生じている場合がある。このような処理対象画像に対して、特定の色を含む代表色への置換を行うと、特定の色が使用された部分であっても特定の色として置換されず、別の代表色に置換されてしまう場合があった。
【先行技術文献】
【特許文献】
【０００５】
【特許文献１】特開２００３−２８８５８５号公報
【発明の概要】
【発明が解決しようとする課題】
【０００６】
本発明は、処理対象画像の保存したい特定色について確実に保存して減色化の処理を行うことができる画像処理装置及び画像処理プログラムを提供することを目的とするものである。
【課題を解決するための手段】
【０００７】
本願請求項１に記載の発明は、処理対象画像中の予め指定されている色範囲の特定色を対応する指定色に置換する特定色置換処理手段と、前記処理対象画像中の前記特定色置換処理手段で置換対象となった画像領域以外の画像領域について前記処理対象画像から抽出した代表色に置換する色置換手段を有することを特徴とする画像処理装置である。
【０００８】
本願請求項２に記載の発明は、本願請求項１に記載の発明の構成に、さらに、前記特定色と該特定色を中心とする色範囲と前記指定色を設定する特定色情報設定手段を有することを特徴とする画像処理装置である。
【０００９】
本願請求項３に記載の発明は、本願請求項２に記載の発明における前記特定色情報設定手段が、前記特定色とすべき色で描かれた原稿を画像読取手段で読み取って得られた画像から前記特定色を設定するとともに、設定した前記特定色を中心とした色範囲の指定を受け取ることを特徴とする画像処理装置である。
【００１０】
本願請求項４に記載の発明は、コンピュータに、請求項１から請求項３のいずれか１項に記載の画像処理装置の機能を実行させるものであることを特徴とする画像処理プログラムである。
【発明の効果】
【００１１】
本願請求項１に記載の発明によれば、処理対象画像の特定色について確実に保存して減色化の処理を行うことができる。
【００１２】
本願請求項２に記載の発明によれば、処理対象画像の特定色及び特定色とする色範囲を任意に指定することができる。
【００１３】
本願請求項３に記載の発明によれば、処理対象画像の特定色を読み取られた原稿に描かれた画像から指定することができる。
【００１４】
本願請求項４に記載の発明によれば、処理対象画像の特定色について確実に保存して減色化の処理を行うことができる。
【図面の簡単な説明】
【００１５】
【図１】本発明の実施の一形態を含む一例を示す構成図である。
【図２】本発明の実施の一形態を含む構成例における動作の一例を示す流れ図である。
【図３】特定色情報設定部の動作の一例を示す流れ図である。
【図４】特定色で描かれた原稿の一例の説明図である。
【図５】調整画面の一例（調整前）の説明図である。
【図６】調整画面の一例（調整後）の説明図である。
【図７】処理対象画像の一例の説明図である。
【図８】特定色置換処理部で置換された画像及び置換済情報の一例の説明図である。
【図９】減色化の処理が施された画像の一例の説明図である。
【図１０】処理対象画像の別の例の説明図である。
【図１１】本発明の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００１６】
図１は、本発明の実施の一形態を含む一例を示す構成図である。図中、１は代表色作成部、２は特定色情報設定部、３は特定色置換処理部、４は色置換部である。処理対象画像はどのような画像でもよく、例えば画像読取装置で読み取った画像でよい。
【００１７】
代表色作成部１は、処理対象画像から代表色を抽出する。代表色の抽出方法としては従来より行われている方法を使用すればよい。例えば、処理対象画像の各画素の色から色ヒストグラムを作成し、頻度値がピークを示す色を統合して行くことにより、予め決められた数の範囲で代表色を決めればよい。なお、予め代表色を決めておいてもよく、その場合にはこの代表色作成部１を設けずに構成してもよい。
【００１８】
特定色情報設定部２は、例えば会社やブランド等のロゴなど、指定した色で出力する色を特定色として設定するとともに、設定した特定色を中心とする色範囲を設定し、また特定色を置換する指定色を設定する。設定された特定色及び色範囲と、対応する指定色を記憶しておく。特定色の設定は、予め決めておいたり、利用者が指定すればよい。例えば特定色とすべき色で描かれた原稿を画像読取装置で読み取り、得られた画像から色ヒストグラムを作成し、頻度値のピークなどをもとに特定色を設定してもよい。このように設定した特定色を、利用者が変更してもかまわない。
【００１９】
色範囲の設定についても、予め決めておいたり、特定色によって決まる関数を用いて設定したり、あるいは利用者が指定すればよい。例えば特定色を設定する際に作成した色ヒストグラムの頻度値の分布から、色範囲を設定してもよい。このようにして設定した色範囲についても、利用者が変更してもよい。色範囲を設定する際には、設定した特定色が中心となるように設定すると、色ズレなどの色の変化が生じていても特定色として置換されるようになる。また、色範囲を広げれば色の変化に対する許容量が大きくなる。
【００２０】
指定色については特定色を設定してもよいし、例えば画像読取装置の読み取り特性などに従って特定色を変更した色を指定色としてもよい。例えばロゴなどで色の電子的な値が決められているのであれば、その値を指定色として設定してもよい。この指定色の設定も利用者が行ってもよい。
【００２１】
特定色置換処理部３は、特定色情報設定部２で設定された特定色及びその特定色を中心とする色範囲と指定色に従い、処理対象画像中の特定色を中心とする色範囲の色について、指定色に置換する。そして、置換した１または複数の画素を単位として、特定色の置換を行ったことを示す置換済情報を付加する。
【００２２】
色置換部４は、処理対象画像中の特定色置換処理部３で置換対象となった画像領域以外の画像領域について、代表色作成部１で処理対象画像から抽出した代表色に置換する。特定色置換処理部３で置換対象となったか否かは、置換済情報が付加されているか否かで判断する。置換済情報が付加されている画素については、この色置換部４で代表色への置換は行わず、特定色置換処理部３による置換後の色を色置換部４の出力とする。
【００２３】
このようにして色置換部４から出力された画像は、使用されている色が代表色及び指定色に限定された画像となっている。例えば画像読取装置で読み取った画像や手書きの画像などでは読取誤差やかすれなど、様々な要因により、画像中の色としては利用者が認識する色数以上の色が存在するが、上述の処理によって使用されている色数を減らす減色化の処理が行われる。しかも、特定色については、代表色として抽出された色によらず、指定色に置換されている。
【００２４】
図２は、本発明の実施の一形態を含む構成例における動作の一例を示す流れ図である。まずＳ５１において、特定色情報設定部２で特定色とその色範囲及び指定色を設定しておく。設定方法の具体例については後述する。
【００２５】
処理対象画像が与えられると、Ｓ５２において、代表色作成部１は、処理対象画像の各画素の色から色ヒストグラムを作成し、その色ヒストグラムから予め決められた数の範囲で代表色を抽出する。
【００２６】
これらの準備ができたら、あるいはＳ５２における代表色の抽出処理と並行して、Ｓ５３において、特定色置換処理部３が処理対象画像中の設定された色範囲内の色の画素について、設定されている指定色に置換する。そして、置換した画素には置換済情報を付加しておく。設定されている色範囲外の色の画素については、そのままとする。
【００２７】
Ｓ５４において、色置換部４は特定色置換処理部３による処理後の処理対象画像に対して、Ｓ５２で代表色作成部１が抽出した代表色への置換処理を行う。この際に、置換済情報が付加されている画素については代表色への置換を行わない。従って、色置換部４から出力される減色処理後の画像は、特定色を中心とする色範囲の色の画素については特定色置換処理部３で指定色に置換され、それ以外の色の画素については色置換部４で代表色のいずれかに置換されることになる。
【００２８】
減色処理された画像は、例えば画像形成装置により媒体上に形成してもよいし、圧縮処理して蓄積又は伝送してもよい。圧縮処理としては公知の手法を適用すればよいが、例えば指定色および代表色毎に画像を分離し、２値圧縮して色情報とともに蓄積又は伝送すればよい。
【００２９】
以下、上述の動作の一例について、具体例を用いながらさらに説明する。まず、特定色情報設定部２で特定色とその色範囲及び指定色を設定する。図３は、特定色情報設定部の動作の一例を示す流れ図である。ここでは、特定色とすべき色で描かれた原稿を画像読取装置で読み取って設定するものとし、Ｓ６１において、画像読取装置で当該原稿の画像を読み取る。Ｓ６２において、Ｓ６１で読み取った画像の各画素の色から色ヒストグラムを作成する。作成した色ヒストグラムから、Ｓ６３において特定色となり得る色を抽出するとともに、Ｓ６４において、その特定色となり得る色の範囲を抽出する。特定色となり得る色は、色ヒストグラムのピーク色を抽出すればよい。また、抽出したピーク色を含む予め設定した頻度または頻度の度合い（％）を有する色範囲をＳ６４で設定すればよい。なお、この例ではさらにＳ６５において色範囲を予め定めておいた倍率に応じて広げ、あるいは狭めて、利用者に提示する色範囲としている。なお、色範囲は特定色となり得る色を中心として設定する。このようにしてＳ６３からＳ６５で設定した特定色となり得る色と色範囲、指定色をＳ６６において一旦登録する。なお、この時点では特定色となり得る色を指定色としておく。特定色となり得る色が複数存在する場合には、それぞれについて色範囲の設定を行って登録する。
【００３０】
Ｓ６７において、利用者に対してＳ６６で登録した情報を提示し、Ｓ６８において、利用者からの特定色、色範囲、指定色に対する調整の指示を受け付ける。Ｓ６９において、調整の終了が指示されたか否かを判断し、調整の終了が指示されるまでＳ６８における利用者による調整を続ける。
【００３１】
Ｓ６９で調整の終了の指示を受け付けたら、それまでに利用者から受け付けた調整の指示を反映して、Ｓ７０において特定色、色範囲、指定色を登録し直す。Ｓ７１において、未調整の別の特定色となり得る色が抽出されているか否かを判定し、存在する場合にはＳ６７へ戻って、未調整の別の特定色となり得る色についての調整を行う。なお、特定色となり得る色のうち、誤って抽出された色が存在する場合には、利用者からの削除の指示を受けて、特定色の登録から削除してもよい。
【００３２】
抽出した特定色となり得る色についての調整が終了し、特定色、色範囲、指定色の登録が行われたら、Ｓ７２において、他の原稿からの登録を行うか否かを判定し、もし他の原稿からの登録を行う場合にはＳ６１へ戻って上述の処理を繰り返す。他の原稿からの登録がなければ、特定色、色範囲、指定色の登録の処理を終了する。
【００３３】
上述の特定色情報設定部２の動作の一例について、具体例を用いながらさらに説明する。図４は、特定色で描かれた原稿の一例の説明図、図５、図６は、調整画面の一例の説明図である。図４に示した原稿には、ある色で「Ｇｒｅｅｎ」「ＬＯＧＯ」と描画されている。図示の都合上、彩色されている部分には斜線を付して示しているが、ここでは仮に緑で描画されているものとする。この原稿を画像読取装置で読み取り、色ヒストグラムを作成すると、緑と白に頻度が集中することになり、緑を特定色となり得る色として抽出する。また、読取誤差や印刷ムラなどによって、読み取った色も広がりを有しており、その広がりを色範囲として求め、図３に示す動作例では予め決めておいた倍率により色範囲を広げ、あるいは縮小している。このようにして抽出された緑の色を特定色となり得る色及び指定色とし、色範囲とともに登録する。
【００３４】
この登録情報をもとに、例えば図５に示した調整画面を利用者に提示する。図５中、１１は色空間表示部、１２は色範囲、１３，１４、１５は色範囲調整部、１６はプレビュー部、１７は指定色表示部、１８は欠落部である。この調整画面の例では、色空間を色相−彩度軸で２次元的に示すとともに、明度軸方向にも１次元で示し、両者により３次元での色の表示を行っている。なお、図示の都合上、斜線を異ならせて色の違いを表現しようとしているが、実際の色が表現されたものではない。
【００３５】
また、太線で示した部分が色範囲１２であり、その中央が特定色となり得る色として抽出された色である。この色範囲１２を移動させることにより、中心となる特定色が調整される。
【００３６】
図５に示した例では、彩度方向に色範囲を調整するための色範囲調整部１３、色相方向に色範囲を調整するための色範囲調整部１４、明度方向に色範囲を調整するための色範囲調整部１５が設けられている。これらの各色範囲調整部１３，１４，１５を変更することにより、色範囲が広がり、あるいは狭まる。
【００３７】
さらに、原稿から読み取った画像のうち、現在設定されている色範囲に含まれる部分を参照するためのプレビュー部１６が設けられており、特定色や色範囲が適切か否かを利用者が判断するために利用される。さらにまた、指定色表示部１７には指定色とその色成分が表示されている。調整を開始する際には、特定色となり得る色をそのまま指定色として表示すればよい。また、この例では色成分の値を変更することによって指定色が調整される。あるいは色空間表示部１１の色を選択するようにしてもよい。
【００３８】
図５に示した例では、プレビュー部１６に表示された画像には欠落部１８に存在するはずの「Ｌ」の文字がない。例えば画像読取装置の読み取り誤差や原稿の印刷ムラなど、様々な要因により部分的に色が異なることがあり、この欠落部１８は、設定されている色範囲外となってしまった部分である。このような部分が存在する場合には、利用者は、特定色を調整し、あるいは色範囲を調整すればよい。
【００３９】
図６に示した例では、図５に示した例において彩度方向の色範囲を調整した例を示している。色範囲調整部１３を操作して色範囲を広げる調整を行うと、色空間表示部１１に表示されている色範囲１２が特定色を中心として彩度方向に広がる。これに伴ってプレビュー部１５には、調整された色範囲に含まれる色の画素を抽出して表示される。この例では欠落していた「Ｌ」が含まれるようになっている。この例では彩度方向の色範囲を調整する例を示したが、もちろん、色相方向や明度方向への色範囲の調整や、特定色自体の調整を行ってもよい。
【００４０】
このようにして特定色とその色範囲を調整し、さらに指定色表示部１７に表示されている指定色についての調整を行い、図示しない終了ボタンなどを操作すれば、それまでの調整結果が反映された特定色、色範囲、指定色が登録される。このような調整を、原稿に描画されている各色について行い、また複数の原稿が存在する場合には各原稿について繰り返して行えば、それぞれの特定色、色範囲、指定色が登録されることになる。
【００４１】
なお、図５，図６に示した表示画面は一例であって、調整に使用する表示画面はこの例に限られるものではなく、公知の種々の表示形態を使用して調整を行ってもよい。
【００４２】
上述の特定色、色範囲、指定色の登録は予め行っておく。以下の具体例では上述の具体例のように緑色が特定色として、色範囲及び指定色とともに登録されているものとする。
【００４３】
処理対象画像が与えられると、まず代表色を抽出する。図７は、処理対象画像の一例の説明図である。ここでは画像読取装置により読み取られた画像を処理対象画像とする。図７に示した例では、画像中に緑で「Ｇ」、赤で「Ｒ」、青で「Ｂ」、黒で「Ｋ」と描画されている。このうち、緑で描画されている「Ｇ」は、特定色の登録の際に使用した原稿に描かれている色を使用しているものとする。なお、図示の都合上、色の違いは斜線の違いと、黒については塗りつぶして示している。
【００４４】
このような処理対象画像の各画素の色をもとに、公知の方法により代表色を抽出する。一例としては、色ヒストグラムを作成し、ピーク色などから代表色を抽出すればよい。この例では、緑、赤、青、黒、白の５つが代表色として抽出されたものとする。画像読取装置で読み取った画像を処理対象画像としている場合には、画像読取装置の読み取り誤差などによって各描画図形の境界部分に中間色が存在するなど、色空間における色としては異なる色が生じている場合がある。このような場合でも、境界部分の中間色については図形内部の色に比べて頻度が小さいため抽出されず、代表色としては図形内部の色が抽出されることになる。また、緑で描画されている「Ｇ」については、上述のように特定色の登録の際に使用した色が用いられているが、色ズレなどによって特定色が代表色として抽出されるとは限らない。
【００４５】
代表色が抽出されたら、処理対象画像の減色化の処理を行う。まず、特定色情報設定部２で設定された特定色を中心とする色範囲の色を有する画素について、特定色置換処理部３で指定色に置換する。図８は、特定色置換処理部で置換された画像及び置換済情報の一例の説明図である。図７に示した処理対象画像のうち、特定色情報設定部２で設定された特定色を中心とする色範囲の色、この例では緑で描画されている「Ｇ」を構成する画素の色を、当該特定色に対応付けて登録されている指定色に置換する。図８（Ａ）には特定色置換処理部３で特定色を中心とする色範囲の色を指定色に置換した画像を示している。「Ｇ」の部分の斜線を変更して処理後であることを示している。なお、境界部分に存在している中間色についても、色が色範囲に入る画素については指定色に置換される。また、「Ｇ」の図形内に存在するノイズなどによる色の違いがあっても、色範囲に入れば指定色の単色に置換されることになる。
【００４６】
また、指定色に置換した画素については、置換済情報を付加する。ここでは、例えば図８（Ｂ）において黒く示している部分の画素について置換済情報が付加されたことを示している。指定色へ置換した後の画像と、この置換済情報とが色置換部４に渡される。なお、この特定色の指定色への置換は、代表色の抽出処理と並行して行ってもよい。
【００４７】
色置換部４では、代表色置換処理部３で指定色への置換が行われた画像について、代表色への置換を行って行く。この際に、置換済情報が付加されている画素については置換を行わない。この具体例では、赤、青、黒の図形部分についてはそれぞれ代表色の赤、青、黒に置換され、背景についても白に置換される。しかし、緑の図形については特定色置換処理部３で既に置換処理が行われているため、置換を行わない。これにより、例えば処理対象画像に特定色が使用されている場合、当該代表色として特定色とは異なる色が抽出されている場合や、処理対象画像全体における色の使用頻度から特定色が代表色として抽出されない場合でも、特定色置換処理部３により特定色の部分は指定色に置換され、そのまま出力される。なお、色置換部４による代表色への置換により、各図形の境界部分に存在する中間色は各図形色または背景色のいずれかに置換され、また各図形及び背景に存在するノイズなどによる色の違いも代表色の単色に置換されることになる。
【００４８】
図９は、減色化の処理が施された画像の一例の説明図である。図７に示した処理対象画像は、上述の減色化の処理によって、図９（Ａ）に示す画像に置換される。各図形の境界部分に存在していた中間色はなくなり、また、特定色については指定色に変換されている。
【００４９】
置換後の画像を、例えば図９（Ｂ）に示すように各色の画像に分解すると、分解された各画像は２値の画像（＋色値）として取り扱えることから、画像の保存や伝送の際にはカラー画像のままで扱う場合に比べてデータ量が減少する。
【００５０】
図１０は、処理対象画像の別の例の説明図である。図１０に示した処理対象画像の例では、赤、黒の図形とともに黄緑色の図形が描画され、また、緑の図形が他の図形に比べて小さく描画されているものとしている。このような処理対処図形では、代表色を抽出すると赤、黒、黄緑、白が抽出され、緑は代表色として抽出されない場合がある。この場合、代表色置換処理部３での置換処理を行わないと、色置換部４で緑の図形は代表色の一つである黄緑に置換され、色が変わってしまう。
【００５１】
このような場合、例えば特定色として緑を登録しておけば、代表色置換処理部３での置換処理により、緑の図形は代表色として緑が抽出されていなくても、例えば緑（指定色）に置換される。そして、この緑（指定色）は色置換部４における置換が行われずに保存される。このように、代表色として抽出されない場合や、類似色が代表色として抽出された場合でも、特定色を中心とする色範囲の色は指定色に置換されるため、特定色については減色化の処理を行った後でも保存されることになる。例えば色をそのまま保存するロゴなどの図形については、代表色として登録しておけば、減色処理により色が変化することはない。
【００５２】
図１１は、本発明の実施の一形態で説明した機能をコンピュータプログラムで実現した場合におけるコンピュータプログラム及びそのコンピュータプログラムを格納した記憶媒体とコンピュータの一例の説明図である。図中、２１はプログラム、２２はコンピュータ、３１は光磁気ディスク、３２は光ディスク、３３は磁気ディスク、３４はメモリ、４１はＣＰＵ、４２は内部メモリ、４３は読取部、４４はハードディスク、４５はインタフェース、４６は通信部である。
【００５３】
上述の本発明の実施の一形態で説明した各部の機能の全部あるいは部分的に、コンピュータにより実行可能なプログラム２１によって実現してもよい。その場合、そのプログラム２１およびそのプログラムが用いるデータなどは、コンピュータが読み取り可能な記憶媒体に記憶させておけばよい。記憶媒体とは、コンピュータのハードウェア資源に備えられている読取部４３に対して、プログラムの記述内容に応じて、磁気、光、電気等のエネルギーの変化状態を引き起こして、それに対応する信号の形式で、読取部４３にプログラムの記述内容を伝達するものである。例えば、光磁気ディスク３１，光ディスク３２（ＣＤやＤＶＤなどを含む）、磁気ディスク３３，メモリ３４（ＩＣカード、メモリカードなどを含む）等である。もちろんこれらの記憶媒体は、可搬型に限られるものではない。
【００５４】
これらの記憶媒体にプログラム２１を格納しておき、例えばコンピュータ２２の読取部４３あるいはインタフェース４５にこれらの記憶媒体を装着することによって、コンピュータからプログラム２１を読み出し、内部メモリ４２またはハードディスク４４に記憶し、ＣＰＵ４１によってプログラム２１を実行することによって、上述の本発明の実施の一形態で説明した機能の全部あるいは部分的に実現される。あるいは、通信路を介してプログラム２１をコンピュータ２２に転送し、コンピュータ２２では通信部４６でプログラム２１を受信して内部メモリ４２またはハードディスク４４に記憶し、ＣＰＵ４１によってプログラム２１を実行することによって実現してもよい。
【００５５】
コンピュータ２２には、このほかインタフェース４５を介して様々な装置と接続してもよい。例えば情報を表示する表示手段や利用者からの情報を受け付ける受付手段等も接続されていてもよい。これらを用いて特定色情報設定部２が受け取る特定色、色範囲、指定色の調整を利用者が行うように構成すればよい。また、例えば画像読取装置がインタフェース４５を介して接続され、画像読取装置で読み取った画像を処理対象画像として特定色の登録及び減色化の処理を行って、ハードディスク４４に記憶させ、あるいは通信部４６を通じて外部に送信するように構成してもよい。または、出力装置としての画像形成装置がインタフェース４５を介して接続され、減色化された画像を画像形成装置で形成するように構成してもよい。あるいは、画像読取装置及び画像形成装置がインタフェース４５に接続され、画像読取装置で読み取った画像に減色化の処理を行い、画像形成装置で形成するように構成してもよい。
【００５６】
もちろん、部分的にハードウェアによって構成することもできるし、全部をハードウェアで構成してもよい。あるいは、他の構成とともに本発明の実施の一形態で説明した機能の全部あるいは部分的に含めたプログラムとして構成してもよい。例えば複写機などの画像読取装置や画像形成装置を含む装置において制御プログラムとともに１つのプログラムとして構成し、あるいはスキャナなどの画像読取装置を含む装置またはプリンタなどの画像形成装置を含む装置において制御プログラムとともに１つのプログラムとして構成してもよい。もちろん、他の用途に適用する場合には、その用途におけるプログラムと一体化してもよい。
【符号の説明】
【００５７】
１…代表色作成部、２…特定色情報設定部、３…特定色置換処理部、４…色置換部、１１…色空間表示部、１２…色範囲、１３，１４、１５…色範囲調整部、１６…プレビュー部、１７…指定色表示部、１８…欠落部、２１…プログラム、２２…コンピュータ、３１…光磁気ディスク、３２…光ディスク、３３…磁気ディスク、３４…メモリ、４１…ＣＰＵ、４２…内部メモリ、４３…読取部、４４…ハードディスク、４５…インタフェース、４６…通信部。
【図１】
2011044919.tif 000003
【図２】
2011044919.tif 000004
【図３】
2011044919.tif 000005
【図４】
2011044919.tif 000006
【図５】
2011044919.tif 000007
【図６】
2011044919.tif 000008
【図７】
2011044919.tif 000009
【図８】
2011044919.tif 000010
【図９】
2011044919.tif 000011
【図１０】
2011044919.tif 000012
【図１１】
2011044919.tif 000013